(57)【要約】【課題】    低コスト化を図れかつ、リサイクル率の向上を図れるプロジェクタを提供する。【解決手段】外装ケース２は、合成樹脂製の成型品であり、プロジェクタ１の天面を構成するアッパーケースと、プロジェクタ１の底面を構成するロアーケース２１とを含んで構成される。そして、ロアーケース２１の底面２１１には、外装ケース２の内部に向けて起立し、複数の光学部品が取り付けられる複数の光学部品取付部２１１Ａが形成されている。【選択図】 図３
2005128210.tif 000002
【特許請求の範囲】
【請求項１】
光源装置と、この光源装置から射出された光束を画像情報に応じて変調する光変調装置と、前記光源装置から射出された光束を前記光変調装置に導光する複数の光学部品と、前記光変調装置にて変調された光束を拡大投射する投射光学装置と、前記光源装置、前記光変調装置、前記複数の光学部品、および前記投射光学装置を内部に収納する外装筐体とを備えるプロジェクタであって、
前記外装筐体は、合成樹脂製の成型品であり、当該プロジェクタの天面を構成する上部筐体と、当該プロジェクタの底面を構成する下部筐体とを含んで構成され、
前記上部筐体または前記下部筐体には、前記外装筐体の内部に向けて起立し、前記複数の光学部品が取り付けられる複数の光学部品取付部が形成されていることを特徴とするプロジェクタ。
【請求項２】
請求項１に記載のプロジェクタにおいて、
前記光源装置、前記複数の光学部品、前記光変調装置、および前記投射光学装置を通る光束にて形成される光路形成面に直交し、前記光路を外れた光を遮光する遮光部材を備えていることを特徴とするプロジェクタ。
【請求項３】
請求項１または請求項２に記載のプロジェクタにおいて、
前記光源装置、前記複数の光学部品、前記光変調装置、および前記投射光学装置を通る光束にて形成される光路形成面に沿って延出し、前記複数の光学部品取付部が起立する端面に設置され、前記上部筐体または前記下部筐体を補強する補強部材を備えていることを特徴とするプロジェクタ。
【請求項４】
請求項３に記載のプロジェクタにおいて、
前記補強部材は、前記投射光学装置の一部と平面的に干渉するように延出形成され、
前記投射光学装置は、該投射光学装置の取り付け用の取付部材を介して前記補強部材に取り付けられていることを特徴とするプロジェクタ。
【請求項５】
請求項３または請求項４に記載のプロジェクタにおいて、
前記補強部材は、熱伝導性部材から構成されていることを特徴とするプロジェクタ。
【請求項６】
請求項１から請求項５のいずれかに記載のプロジェクタにおいて、
前記複数の光学部品は、前記複数の光学部品取付部に接着固定され、
前記複数の光学部品取付部は、折損可能に構成されていることを特徴とするプロジェクタ。
【発明の詳細な説明】
【技術分野】
【０００１】
本発明は、プロジェクタに関する。
【背景技術】
【０００２】
従来、外装を形成する外装ケースと、この外装ケース内に設置され、光源から射出された光束を画像情報に応じて光変調装置で変調して光学像を形成し、該光学像を拡大投射する光学ユニットとを備えたプロジェクタが知られている（例えば、特許文献１参照）。
この光学ユニットは、光源から射出された光束を光変調装置の画像形成領域に重畳させるレンズ、光源から射出された光束を３つの色光（Ｒ，Ｇ，Ｂ）に分離するダイクロイックミラー、および光源から射出された光束を光変調装置に導光する反射ミラー等の光学部品と、これら光学部品を光源から射出される光束の照明光軸上の所定位置に収納配置する光学部品用筐体とを備える。
これらのうち、光学部品用筐体は、射出成型等の成型により製造される合成樹脂製の成型品であり、内側面には、光学部品の外形位置基準面として構成され、光学部品をスライド式に嵌め込むための溝が形成されている。そして、光学部品は、光学部品用筐体の溝に嵌めこまれた後、接着剤により接着固定、または付勢部材により付勢固定される。
【０００３】
【特許文献１】特開２００２−３１８４３号公報
【発明の開示】
【発明が解決しようとする課題】
【０００４】
特許文献１に記載のプロジェクタでは、複数の光学部品を外装ケース内に設置するために、光学部品用筐体内に複数の光学部品を収納した後、該光学部品用筐体を外装ケース内に設置している。このため、低コスト化という基本的要請を満たすのが難しく、光学部品用筐体を省略可能な構造を有するプロジェクタの開発が望まれている。
また、光学部品用筐体の再資源化という問題を考えると、複数の光学部品が光学部品用筐体の溝に接着固定されているので、複数の光学部品を光学部品用筐体から取り除いても接着剤が溝に付着してしまい、この状態では、光学部品用筐体の再資源化を十分に図れない。したがって、プロジェクタ全体のリサイクル率を低下させてしまう。また、光学部品用筐体を再資源化するためには、溝に付着した接着剤を完全に除去する必要があり、作業者に煩雑な作業を実施させてしまう。
ここで、リサイクル率を向上させるために、光学部品用筐体の材質を金属部材にて形成することが考えられるが、合成樹脂製の光学部品用筐体の製造コストに比較して、製造コストが高騰してしまうとともに、軽量化を図れない。
【０００５】
本発明の目的は、低コスト化を図れかつ、リサイクル率の向上を図れるプロジェクタを提供することにある。
【課題を解決するための手段】
【０００６】
本発明のプロジェクタは、光源装置と、この光源装置から射出された光束を画像情報に応じて変調する光変調装置と、前記光源装置から射出された光束を前記光変調装置に導光する複数の光学部品と、前記光変調装置にて変調された光束を拡大投射する投射光学装置と、前記光源装置、前記光変調装置、前記複数の光学部品、および前記投射光学装置を内部に収納する外装筐体とを備えるプロジェクタであって、前記外装筐体は、合成樹脂製の成型品であり、当該プロジェクタの天面を構成する上部筐体と、当該プロジェクタの底面を構成する下部筐体とを含んで構成され、前記上部筐体または前記下部筐体には、前記外装筐体の内部に向けて起立し、前記複数の光学部品が取り付けられる複数の光学部品取付部が形成されていることを特徴とする。
【０００７】
ここで、複数の光学部品としては、例えば、光源装置から射出された光束を光変調装置の画像形成領域に重畳させるレンズ、光源装置から射出された光束を光変調装置に導光する反射ミラー、光変調装置を複数有する場合には光源装置から射出された光束を複数の色光に分離する複数のダイクロイックミラー等が例示できる。
また、外装筐体としては、上部筐体および下部筐体を少なくとも備えていればよく、上部筐体および下部筐体のみでプロジェクタの天面、底面、および側面を構成する構成としてもよく、上部筐体および下部筐体以外に側部筐体を備え、該側部筐体にて側面を構成してもよい。
本発明によれば、上部筐体または下部筐体には、複数の光学部品取付部が形成されているので、複数の光学部品を上部筐体または下部筐体に固定でき、従来のような光学部品用筐体を省略可能な構造となる。したがって、光学部品用筐体の省略により、プロジェクタの製造コストの低減を図れる。
また、外装筐体は、合成樹脂から構成され、複数の光学部品取付部は、上部筐体または下部筐体から起立しているので、上部筐体または下部筐体から複数の光学部品取付部を折損しやすい。例えば、接着剤等により複数の光学部品取付部に接着固定された複数の光学部品を外装筐体から取り除いた場合に、接着剤が複数の光学部品取付部に付着している場合であっても、複数の光学部品取付部を折損することで、上部筐体または下部筐体に接着剤が残存することがない。したがって、上部筐体または下部筐体の再資源化を十分に図れ、従来の光学部品用筐体を備えるプロジェクタと比較して、プロジェクタ全体のリサイクル率を向上させることができる。
【０００８】
本発明のプロジェクタでは、前記光源装置、前記複数の光学部品、前記光変調装置、および前記投射光学装置を通る光束にて形成される光路形成面に直交し、前記光路を外れた光を遮光する遮光部材を備えていることが好ましい。
ここで、遮光部材としては、その材質は特に限定されないが、製造の容易性を考慮した場合には、アルミニウム等の板体を板金加工することにより形成することが好ましい。
本発明によれば、プロジェクタは、遮光部材を備えているので、光源装置、複数の光学部品、光変調装置、および投射光学装置を通る光束の光路を外れた光が、外装筐体に形成された、例えば吸気用の開口、排気用の開口等からプロジェクタ外部に漏れることを回避できる。
【０００９】
本発明のプロジェクタでは、前記光源装置、前記複数の光学部品、前記光変調装置、および前記投射光学装置を通る光路にて形成される光路形成面に沿って延出し、前記複数の光学部品取付部が起立する端面に設置され、前記上部筐体または前記下部筐体を補強する補強部材を備えていることが好ましい。
ここで、補強部材としては、その材質は特に限定されないが、製造の容易性を考慮した場合には、上述した遮光部材と同様に、アルミニウム等の板体を板金加工により形成することが好ましい。
本発明によれば、プロジェクタは、補強部材を備え、この補強部材は、上部筐体または下部筐体において、複数の光学部品取付部が起立する端面に設置されている。このことにより、例えば、複数の光学部品の自重等により光学部品取付部から上部筐体または下部筐体にかかる応力、および光源装置にて射出される光束により複数の光学部品から光学部品取付部を介して上部筐体または下部筐体に伝達される熱等による上部筐体または下部筐体の変形を回避できる。
【００１０】
本発明のプロジェクタでは、前記補強部材は、前記投射光学装置の一部と平面的に干渉するように延出形成され、前記投射光学装置は、該投射光学装置の取り付け用の取付部材を介して前記補強部材に取り付けられていることが好ましい。
ここで、取付部材としては、例えば、投射光学装置を構成する鏡筒に一体的に設けた構成としてもよく、前記鏡筒と別部材として前記鏡筒の一部に取付可能な構造を有する構成としてもよい。
ところで、外装筐体を合成樹脂製の成型品とした場合には、投射光学装置は、他の光学部品と比較して重量が大きいため、上述した光学部品取付部にて該投射光学装置を固定することが難しい。そこで、投射光学装置の重量に対応させるために、所定の厚み寸法を有し、側面視Ｌ字状の金属製の投射光学装置支持構造体が一般的に用いられている。この投射光学装置支持構造体は、Ｌ字状の一方の端面が上部筐体または下部筐体の天面または底面に沿って延出するとともに、他方の端面が前記天面または底面に直交する。そして、投射光学装置は、他方の端面に支持固定される。
しかしながら、投射光学装置の重量に対応させるために、投射光学装置支持構造体の厚み寸法を比較的厚く形成しなければならず、また、一方の端面の延出方向寸法を比較的長く形成する必要があり、投射光学装置支持構造体の重量が大きくなり、プロジェクタの軽量化を阻害してしまう。
本発明によれば、補強部材は、投射光学装置の一部と平面的に干渉するように延出形成され、投射光学装置が取付部材を介して補強部材に取り付けられるので、従来の投射光学装置支持構造体を不要とし、プロジェクタの軽量化を図れる。
【００１１】
本発明のプロジェクタでは、前記補強部材は、熱伝導性部材から構成されていることが好ましい。
本発明によれば、補強部材を熱伝導性の良好な部材、例えば、金属製の部材から構成することで、光源装置にて射出された光束により、複数の光学部品、光変調装置等に生じる熱を補強部材に放熱可能な構造となり、光学部品，光変調装置等の冷却効率の向上を図れる。
【００１２】
本発明のプロジェクタでは、前記複数の光学部品は、前記複数の光学部品取付部に接着固定され、前記複数の光学部品取付部は、折損可能に構成されていることが好ましい。
ここで、複数の光学部品取付部が折損可能に構成されているとは、例えば、光学部品取付部において、光学部品が接着固定される部位よりも基端側に溝を形成する構成等を採用できる。また、光学部品取付部が折損可能に構成されていれば、前記溝等を形成しなくてもよい。
本発明によれば、複数の光学部品取付部は、折損可能に構成されているので、例えば、光学部品が接着固定される部位よりも基端側で折損可能な構成とすれば、外装筐体から光学部品を取り除く際、複数の光学部品取付部を折損すれば、外装筐体に付着する接着剤を確実に除去できる。したがって、外装筐体の再資源化を十分に図れ、プロジェクタ全体のリサイクル率の向上を図れる。
【発明を実施するための最良の形態】
【００１３】
[１．第１実施形態]
以下、本発明の実施の一形態を図面に基づいて説明する。
[1-1.プロジェクタの構成]
図１は、第１実施形態に係るプロジェクタ１の概略構成を示す平面図である。具体的に、図１は、プロジェクタ１の天面を構成する外装筐体の上部筐体を取り外して内部を見た平面図である。
プロジェクタ１は、光源から射出された光束を画像情報に応じて変調し、スクリーン等の投射面上に拡大投射する。このプロジェクタ１は、図１に示すように、外装筐体としての外装ケース２と、光源装置３と、インテグレータ照明光学系４と、色分離光学系５と、リレー光学系６と、光学装置７と、投射光学装置としての投射レンズ８とを備える。
なお、具体的な図示は省略したが、プロジェクタ１は、上述した部材２〜８の他、外部から供給された電力をプロジェクタ１の構成部材に提供する電源ユニット、光学装置７の後述する液晶パネルを駆動制御する制御基板、プロジェクタ１の構成部材に冷却空気を送風する冷却ファンを有する冷却ユニット等を備えている。
【００１４】
外装ケース２は、例えば、ポリカーボネート−ＡＢＳ樹脂（アクリロニトリル、ブタジエン、スチレンを原料とする非結晶性の熱可塑性樹脂）、いわゆる、ポリカＡＢＳ等の合成樹脂製の成型品であり、プロジェクタ１の外観を構成し、上述した各部材２〜８を内部に収納配置する。この外装ケース２は、下部筐体としてのロアーケース２１と、上部筐体としての図示しないアッパーケースとを備える。
ロアーケース２１は、詳細については後述するが、プロジェクタ１の底面および側面を構成するように容器状に形成されている。そして、このロアーケース２１には、図示は省略するが、前記冷却ユニットによりプロジェクタ１外部の空気を内部に取り入れるための吸気用の開口、および内部の空気を外部に排出するための排気用の開口が形成されている。
前記アッパーケースは、プロジェクタ１の天面を構成する蓋状に形成され、ロアーケース２１と組み合わされた状態で該ロアーケース２１の開口部分を閉塞する。
【００１５】
光源装置３は、ロアーケース２１の底面の所定位置に設置され、光学装置７に向けて光束を射出する。この光源装置３は、図１に示すように、放射光源としての光源ランプ３１と、リフレクタ３２と、リフレクタ３２の光束射出面を覆う防爆ガラス３３と、これら光源ランプ３１、リフレクタ３２、防爆ガラス３３を収納配置するランプハウジング３４とを備える。そして、光源ランプ３１から射出された放射状の光束は、リフレクタ３２で反射されて略平行光束とされ、外部へと射出される。本実施形態では、光源ランプ３１として、高圧水銀ランプを採用し、リフレクタ３２として、放物面鏡を採用している。なお、光源ランプ３１としては、高圧水銀ランプに限らず、例えばメタルハライドランプやハロゲンランプ等を採用してもよい。また、リフレクタ３２として放物面鏡を採用しているが、これに限らず、楕円面鏡からなるリフレクタの射出面に平行化凹レンズを配置した構成を採用してもよい。
【００１６】
インテグレータ照明光学系４は、光源装置３から射出された光束を照明光軸直交面内における照度を均一にするための光学系である。このインテグレータ照明光学系４は、図１に示すように、第１レンズアレイ４１、第２レンズアレイ４２、偏光変換素子４３、および重畳レンズ４４を備えて構成される。
第１レンズアレイ４１は、照明光軸方向から見てほぼ矩形状の輪郭を有する小レンズがマトリクス状に配列された構成を具備している。各小レンズは、光源ランプ３１から射出された光束を部分光束に分割し、照明光軸方向に射出する。
第２レンズアレイ４２は、第１レンズアレイ４１と略同様の構成であり、小レンズがマトリクス状に配列された構成を具備する。この第２レンズアレイ４２は、重畳レンズ４４とともに、第１レンズアレイ４２の各小レンズの像を光学装置７の後述する光変調装置の画像形成領域に結像させる機能を有する。
【００１７】
偏光変換素子４３は、第２レンズアレイ４２からの光を略１種類の偏光光に変換するものであり、これにより、光学装置７での光の利用効率が高められている。
具体的に、偏光変換素子４３によって略１種類の偏光光に変換された各部分光束は、重畳レンズ４４によって最終的に光学装置７の後述する光変調装置の画像形成領域にほぼ重畳される。偏光光を変調するタイプの光変調装置を用いたプロジェクタでは、１種類の偏光光しか利用できないため、ランダムな偏光光を発する光源ランプ３１からの光束の略半分が利用されない。このため、偏光変換素子４３を用いることにより、光源ランプ３１〜射出された光束を略１種類の偏光光に変換し、光学装置７における光の利用効率を高めている。なお、このような偏光変換素子４３は、例えば、特開平８−３０４７３９号公報に紹介されている。
【００１８】
色分離光学系５は、２枚のダイクロイックミラー５１，５２と、反射ミラー５３とを備える。インテグレータ照明光学系４から射出された複数の部分光束は、２枚のダイクロイックミラー５１，５２により赤（Ｒ）、緑（Ｇ）、青（Ｂ）の３色の色光に分離される。
リレー光学系６は、入射側レンズ６１と、リレーレンズ６３と、反射ミラー６２，６４とを備える。このリレー光学系６は、色分離光学系５で分離された色光である青色光を光学装置７の後述する青色光用の光変調装置まで導く機能を有している。
【００１９】
この際、色分離光学系５のダイクロイックミラー５１では、インテグレータ照明光学系４から射出された光束のうち、緑色光成分と青色光成分とは透過し、赤色光成分は反射する。ダイクロイックミラー５１によって反射した赤色光は、反射ミラー５３で反射し、フィールドレンズ７９を通って、後述する赤色光用の光変調装置に到達する。このフィールドレンズ７９は、第２レンズアレイ４２から射出された各部分光束をその中心軸（主光線）に対して平行な光束に変換する。他の緑色光、青色光用の光変調装置の光入射側に設けられたフィールドレンズ７９も同様である。
【００２０】
また、ダイクロイックミラー５１を透過した青色光と緑色光のうちで、緑色光は、ダイクロイックミラー５２によって反射し、フィールドレンズ７９を通って、後述する緑色光用の光変調装置に到達する。一方、青色光は、ダイクロイックミラー５２を透過してリレー光学系６を通り、さらにフィールドレンズ７９を通って、後述する青色光用の光変調装置に到達する。
なお、青色光にリレー光学系６が用いられているのは、青色光の光路の長さが他の色光の光路長さよりも長いため、光の発散等による光の利用効率の低下を防止するためである。すなわち、入射側レンズ６１に入射した部分光束をそのまま、フィールドレンズ７９に伝えるためである。なお、リレー光学系６には、３つの色光のうちの青色光を通す構成としたが、これに限らず、例えば、赤色光を通す構成としてもよい。
以上説明した、インテグレータ照明光学系４、色分離光学系５、リレー光学系６、およびフィールドレンズ７９が、本発明に係る光学部品に相当する。
【００２１】
図２は、光学装置７の構成を示す図である。具体的に、図２（ａ）は、光学装置７を光束射出側から見た図であり、図２（ｂ）は、光学装置７を上方から見た平面図であり、図２（ｃ）は、光学装置７を赤色光の入射側から見た図である。なお、図２では、支持体７６がＲ色光側にのみ取り付けられた状態を示しており、本来、支持体７６は、３つの色光側にそれぞれ取り付けられているものとする。
光学装置７は、入射された光束を画像情報に応じて変調してカラー画像を形成する。この光学装置７は、色分離光学系５で分離された各色光が入射される３つの入射側偏光板７１と、各入射側偏光板７１の後段に配置される３つの光変調装置７２、および３つの射出側偏光板７３と、クロスダイクロイックプリズム７４と、射出側偏光板７３を保持する熱伝導板７５と、光変調装置７２および入射側偏光板７１を支持する支持体７６と、台座７７と、断熱ピン７８とを備え、これら各部材７１〜７８が一体化されたユニットとして構成されている。
【００２２】
入射側偏光板７１は、色分離光学系５で分離された各色光のうち、一定方向の偏光光のみ透過させ、その他の光束を吸収するものであり、サファイアまたは水晶等の基板に偏光膜が貼付されたものである。
３つの光変調装置７２は、３つの図示しない液晶パネルと、各液晶パネルをそれぞれ保持する３つの保持枠７２２（赤色光用液晶パネルの保持枠を７２２Ｒ、緑色光用液晶パネルの保持枠を７２２Ｇ、青色光用液晶パネルの保持枠を７２２Ｂとする）とを備え、ＲＧＢの各色光に対応させてクロスダイクロイックプリズム７４の光束入射側に配置されている。
各液晶パネルは、例えば、ポリシリコンＴＦＴをスイッチング素子として用いたものであり、対向配置される一対の透明基板内に液晶が密封封入されている。そして、これら液晶パネルは、入射側偏光板７１を介して入射する光束を画像情報に応じて変調して射出する。
【００２３】
３つの保持枠７２２Ｒ，７２２Ｇ，７２２Ｂは、図２に示すように、クロスダイクロイックプリズム７４の光束入射端面に対して４本の断熱ピン７８により取り付けられ、各液晶パネルを内部に収容保持するように構成されている。そして、全体がアルミニウム合金等の高熱伝導性部材によって形成されている。各保持枠７２２の角部には、図２（ｃ）に示すように、４本の断熱ピン７８がそれぞれ挿通するピン挿通孔７２２Ａが設けられている。また、各保持枠７２２の側面には、図２（ａ）または図２（ｃ）に示すように、保持枠厚さ方向に並列する２組の凸部群７２２Ｃ，７２２Ｄが設けられている。
【００２４】
射出側偏光板７３は、入射側偏光板７１と略同様の機能を有し、光変調装置７２から射出された光束のうち、一定方向の偏光光を透過し、その他の光束を吸収する。これら射出側偏光板７３は、図２（ｂ）に示すように、クロスダイクロイックプリズム７４の光束入射端面に貼り付けられる第１射出側偏光板７３１と、熱伝導板７５に支持固定される第２射出側偏光板７３２とを備える。
第１射出側偏光板７３１および第２射出側偏光板７３２は、光吸収特性が異なるように構成されたものであり、それぞれの偏光軸は平行となるように配置されている。このように射出側偏光板７３を２体構成とすることで、例えば１体で構成する場合と比較して、射出側偏光板７３にて吸収する熱を２体で按分でき、射出側偏光板７３の熱劣化を防止できる。
なお、第１射出側偏光板７３１および第２射出側偏光板７３２は、偏光軸が平行となるように配置されるとともに、入射側偏光板７１の偏光軸と略直交するように配置される。
【００２５】
クロスダイクロイックプリズム７４は、射出側偏光板７３から射出され、色光毎に変調された光学像を合成してカラー画像を形成する。このクロスダイクロイックプリズム７４には、赤色光を反射する誘電体多層膜と、青色光を反射する誘電体多層膜とが、４つの直角プリズムの界面に沿って略Ｘ字状に設けられ、これらの誘電体多層膜により３つの色光が合成される。
【００２６】
熱伝導板７５は、アルミニウムの平板を板金加工することにより略矩形状に形成されたものであり、平面視略中央部分にはクロスダイクロイックプリズム７４に貼り付けられる第１射出側偏光板７３１を嵌合可能とする開口（図示省略）が形成され、左右辺縁には光束入射側に突出する断面略Ｌ字状の突出部７５１（図２（ｂ））が形成されている。そして、この熱伝導板７５は、突出部７５１により第２射出側偏光板７３２を支持固定するとともに、クロスダイクロイックプリズム７４に貼り付けられる第１射出側偏光板７３１と熱伝達可能に接続し、上下端部にて台座７７の側面に熱伝導性を有する弾性部材（図示省略）を介して固定される。
【００２７】
支持体７６は、各光変調装置７２を内部にそれぞれ収容保持するとともに、入射側偏光板７１を支持固定するものであり、アルミニウム合金等の金属材料からなるコ字状のブロック体によって形成されている。そして、この支持体７６は、台座７７の後述するプリズム固定板の載置部上に紫外線硬化型の熱伝導性接着剤を介して取り付けられている。これにより、支持体７６から台座７７への熱伝導が効果的に行われる。
この支持体７６において、コ字状端縁の内側面には、図示は省略するが、上下方向に延在しかつ、光変調装置７２の保持枠７２２における両組の凸部群７２２Ｃ，７２２Ｄに嵌合する凸部が設けられている。これにより、支持体７６への光変調装置７２の収容時に保持枠７２２における両組の凸部群７２２Ｃ，７２２Ｄ間を支持体７６が案内され、支持体７６による光変調装置７２の収容動作が円滑に行われる。また、両組の凸部群７２２Ｃ，７２２Ｄと支持体７６の前記凸部との嵌合によって光変調装置７２のフォーカス方向の抜けが防止される。そして、支持体７６のコ字状端縁の内側面と、光変調装置７２の保持枠７２２の外周面との間に接着剤が塗布され、支持体７６に対して光変調装置７２が固着される。
【００２８】
また、この支持体７６において、コ字状端縁の光束入射側端面には、図２に示すように、入射側偏光板７１を支持固定するための入射側偏光板取付部７６１が設けられている。
この入射側偏光板取付部７６１は、支持体７６のコ字状端縁の光束入射側端面から光束入射側に向けて突出し、その突出方向先端部分が対向する入射側偏光板取付部７６１に近接するように折曲し、略Ｌ字状に形成されている。また、この入射側偏光板取付部７６１のＬ字状先端部分には、図２（ｂ）に示すように、光束射出方向に窪む凹部７６１Ａが形成され、この凹部７６１Ａに接着剤を介して入射側偏光板７１が固着される。
なお、光変調装置７２、入射側偏光板７１、および台座７７に対する支持体７６の接着に用いる熱伝導性接着剤としては、伸び率が高く、ガラス転移点が低く、アルミニウムの熱線膨張率に近い熱線膨張率を有する接着剤が用いられる。接着剤としては、紫外線硬化型接着剤、シリコン系常温硬化型接着剤、熱硬化型接着剤などを好ましく用いることができる。
【００２９】
台座７７は、アルミニウム合金等から構成され、クロスダイクロイックプリズム７４の上下面に固定される。この台座７７は、図２に示すように、クロスダイクロイックプリズム７４の上面に固定される略直方体状の上台座７７１と、クロスダイクロイックプリズム７４の下面に固定され、光学装置７全体および投射レンズ８を支持固定するプリズム固定板７７２とを備える。
このうち、プリズム固定板７７２は、図２に示すように、側面視略Ｌ字形状を有し、Ｌ字状の水平部分が光学装置７を載置固定する載置部７７２Ａとして機能するとともに、この載置部７７２Ａの光束射出側端部から略法線方向に垂設される垂設部分が投射レンズ８を支持固定する投射レンズ支持部７７２Ｂとして機能する。
載置部７７２Ａは、平面視略矩形形状を有し、上方側端面には、図示は省略するが、上方に膨出する膨出部が形成され、この膨出部により、クロスダイクロイックプリズム７４を位置調整して載置部７７２Ａの上面に取り付けるように構成されている。
また、載置部７７２Ａの下方側端面には、図２（ａ）に示すように、下方に突出し、ロアーケース２１の底面の所定位置に位置決めするための凸部７７２Ａ１が形成されているとともに、ロアーケース２１の底面に取り付けるための図示しないねじ孔が設けられている。すなわち、光学装置７は、プリズム固定板７７２を介してロアーケース２１の底面に直接取り付けられる構成となっている。
投射レンズ支持部７７２Ｂは、図２（ａ）に示すように、略中央部分に光束透過用の開口７７２Ｂ１が形成されている。また、この開口７７２Ｂ１近傍には、投射レンズ８を所定位置に位置決めするための凸部７７２Ｂ２と、投射レンズ８を固定するためのねじ孔７７２Ｂ３とが形成され、投射レンズ８の図示しない孔を介してねじ孔７７２Ｂ３にねじ８３（図１）が螺合することで、投射レンズ支持部７７２Ｂに投射レンズ８が支持固定される。
なお、熱伝導板７５および台座７７は、上述した材質に限らず、例えば、Ａｌ，Ｍｇ，Ｔｉやこれらの合金、インバーおよび４２Ｎｉ−Ｆｅ等の鉄−ニッケル合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）等にて構成してもよい。
【００３０】
断熱ピン７８は、図２に示すように、略円柱形状を有し、紫外線光を透過する合成樹脂（アクリル材）から構成されている。この断熱ピン７８は、光変調装置７２における保持枠７２２のピン挿通孔７２２Ａ（図２（ｃ））に挿通され、一端が熱伝導板７５の光束入射端面に固定されることで、光変調装置７２を熱伝導板７５に支持固定する。
なお、この断熱ピン７８は、アクリル材に限らず、紫外線光を透過する他の合成樹脂で構成してもよく、その他、光学ガラス、水晶、サファイア、石英、または蛍石等にて構成してもよい。また、断熱ピン７８の数は、４つに限らず、２つ以上あればよい。この場合、光変調装置７２における保持枠７２２のピン挿通孔７２２Ａの数も断熱ピン７８の数に対応するように形成すればよい。
【００３１】
投射レンズ８は、図示は省略するが、複数のレンズが組み合わされた組レンズを有し、前記組レンズが鏡筒８１（図１）内に収納保持されている。そして、この鏡筒８１には、光束入射側端部にフランジ８２（図１）が取り付けられており、投射レンズ８は、フランジ８２を介して台座７７を構成するプリズム固定板７７２の投射レンズ支持部７７２Ｂにねじ８３（図１）により支持固定される。
【００３２】
[1-2.ロアーケースの構成]
図３は、ロアーケース２１の概略構成を示す分解斜視図である。
ロアーケース２１は、プロジェクタ１の底面および側面を構成するとともに、内部にて上述した各部材４〜８を支持固定する。
このロアーケース２１において、その底面２１１には、図３に示すように、複数の光学部品取付部２１１Ａが形成されている。
複数の光学部品取付部２１１Ａは、ロアーケース２１の底面２１１から上方に向けて起立する柱状の部材であり、各部材４〜６，７９の配置位置に対応して形成されている。そして、これら光学部品取付部２１１Ａに各部材４〜６，９が接着剤等により接着固定される。
これら光学部品取付部２１１Ａのうち、第１レンズアレイ４１、第２レンズアレイ４２、偏光変換素子４３、重畳レンズ４４、ダイクロイックミラー５１，５２、入射側レンズ６１、リレーレンズ６３、およびフィールドレンズ７９が取り付けられる部分には、略Ｖ字状の溝部２１１Ａ１（図４参照）が形成され、各部材４１〜４４，５１，５２，６１，６３，７９は、その外周部分が溝部２１１Ａ１（図４参照）に当接し、接着剤等を介して固定される。
また、これら光学部品取付部２１１Ａのうち、反射ミラー５３，６２，６４が取り付けられる光学部品取付部２１１Ａは、略四角柱状に形成され、反射ミラー５３，６２，６４は、その裏面が四角柱状の側端面に当接し、接着剤等を介して固定される。
そして、これら光学部品取付部２１１Ａにより、複数の光学部品４〜６，７９をロアーケース２１に固定でき、従来のような光学部品用筐体を省略可能な構造となる。したがって、前記光学部品用筐体の省略により、プロジェクタ１の製造コストの低減を図れる。
【００３３】
また、これら光学部品取付部２１１Ａには、該光学部品取付部２１１Ａをロアーケース２１の底面から折損可能とする折損部２１１Ａ２が形成されている。
図４は、光学部品取付部２１１Ａの折損部２１１Ａ２を示す図である。なお、図４では、入射側レンズ６１が取り付けられる光学部品取付部２１１Ａの折損部２１１Ａ２を示しているが、その他の各部材４，５，６２〜６４，７９が取り付けられる光学部品取付部２１１Ａにも同様の折損部２１１Ａ２が形成されているものとする。
折損部２１１Ａ２は、光学部品取付部２１１Ａにおいて、入射側レンズ６１が接着剤等により接着固定される接着領域ARよりも基端側に位置し、内部側に窪む略Ｖ字状の溝である。そして、光学部品取付部２１１Ａをロアーケース２１の底面に対して折り曲げることで、折損部２１１Ａ２から内部側に亀裂が入り、光学部品取付部２１１Ａがロアーケース２１から折損される。
このように光学部品取付部２１１Ａに折損部２１１Ａ２を設けることで、ロアーケース２１から光学部品取付部２１１Ａを折損しやすい。また、折損部２１１Ａ２が接着領域ARよりも基端側に位置しているので、光学部品取付部２１１Ａを折損した場合には、光学部品取付部２１１Ａとともに接着剤の付着部分をロアーケース２１から取り除くことができ、ロアーケース２１に接着剤が残存することがない。したがって、外装ケース２の再資源化を十分に図れ、プロジェクタ１全体のリサイクル率の向上を図れる。
【００３４】
また、ロアーケース２１において、その底面２１１には、図３に示すように、光学装置７の設置位置に、光学装置７の凸部７７２Ａ１（図２）が挿通される位置決め孔２１１Ｂと、光学装置７の固定用の孔２１１Ｃとが形成されている。なお、図示は省略するが、ロアーケース２１の底面２１１には、光源装置３のランプハウジング３４を固定するための固定部も形成されている。そして、位置決め孔２１１Ｂおよび固定用の孔２１１Ｃによりロアーケース２１の底面２１１に光学装置７および投射レンズ８がプリズム固定板７７２を介して直接固定される。また、前記固定部によりロアーケース２１の底面２１１に光源装置３が直接固定される。
【００３５】
さらに、ロアーケース２１において、その底面２１１には、図３に示すように、補強部材２１２が図示しないねじ等により取り付けられる。
補強部材２１２は、アルミニウム等の平板を板金加工することにより形成され、光源装置３、インテグレータ照明光学系４、色分離光学系５、リレー光学系６、光学装置７、および投射レンズ８にて形成される光路形成面（ロアーケース２１の底面２１１に沿う面）に沿って延出し、図示しない固定用孔を介して複数の光学部品取付部２１１Ａが起立するロアーケース２１の底面２１１に図示しないねじ等により取り付けられる。そして、この補強部材２１２は、ロアーケース２１の底面２１１を補強する。
なお、この補強部材２１２の形状は特に限定されないが、本実施形態では、複数の光学部品取付部２１１Ａにて囲まれる領域に設置されるように、平面視略Ｆ字状に形成されている。
そして、この補強部材２１２がロアーケース２１の底面２１１に取り付けられることによりロアーケース２１を補強でき、複数の光学部品４〜６，７９の自重等により光学部品取付部２１１Ａからロアーケース２１の底面２１１にかかる応力、および光源装置３にて射出される光束により光学部品４〜６，７９から光学部品取付部２１１Ａを介してロアーケース２１の底面２１１に伝達される熱等によるロアーケース２１の変形を回避できる。
また、補強部材２１２を熱伝導性の良好なアルミニウムから構成することで、光源装置３にて射出された光束により、インテグレータ照明光学系４、色分離光学系５、リレー光学系６、フィールドレンズ７９に生じる熱を補強部材２１２に放熱可能な構造となり、光学部品４〜６，７９の冷却効率の向上を図れる。
【００３６】
さらにまた、ロアーケース２１において、その底面２１１には、図３に示すように、遮光部材２１３がねじ２１３Ｃ（図１）により取り付けられる。
遮光部材２１３は、アルミニウム等の平板を板金加工することにより形成され、前記光路形成面（ロアーケース２１の底面に沿う面）に直交し、複数の光学部品取付部２１１Ａを囲むように設置される。この遮光部材２１３は、図３に示すように、第１遮光部材２１３Ａと、第２遮光部材２１３Ｂとを備える。
第１遮光部材２１３Ａは、インテグレータ照明光学系４、色分離光学系５、リレー光学系６、光学装置７で形成される平面視Ｌ字状の内側部分に設置されるものであり、Ｌ字状内側形状に応じて適宜、折曲されている。また、第１遮光部材２１３Ａには、前記光路形成面に沿うように該第１遮光部材２１３Ａをねじ２１３Ｃ（図１）でロアーケース２１の底面２１１に取り付けるための複数の取付部２１３Ａ１が形成されている。
第２遮光部材２１３Ｂは、前記平面視Ｌ字状の外側部分に設置されるものであり、Ｌ字状外側形状に応じて適宜、折曲されている。また、第２遮光部材２１３Ｂには、前記光路形成面に沿うように該第２遮光部材２１３Ｂをねじ２１３Ｃ（図１）でロアーケース２１の底面２１１に取り付けるための複数の取付部２１３Ｂ１が形成されている。
そして、これら第１遮光部材２１３Ａおよび第２遮光部材２１３Ｂをロアーケース２１の底面２１１に取り付けることにより、光源装置３、光学部品４〜６，９、光学装置７、および投射レンズ８を通る光束の光路を外れた光が、外装ケース２に形成された、図示しない吸気用の開口、排気用の開口等からプロジェクタ１外部に漏れることを回避でき、また、外装ケース２内での迷光を防ぐこともできる。
また、ロアーケース２１の底面２１１に第１遮光部材２１３Ａおよび第２遮光部材２１３Ｂを取り付けることで、プロジェクタ１外部に光が漏れることを回避できるとともに、上述した補強部材２１２と同様に、ロアーケース２１の補強もでき、ロアーケース２１の変形を回避できる。
【００３７】
[２．第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、ロアーケース２１の底面２１１に取り付けられる補強部材２１２は、複数の光学部品取付部２１１Ａにて囲まれる領域に設置されるように、平面視略Ｆ字状に形成されている。また、投射レンズ８は、光学装置７を構成する台座７７のプリズム固定板７７２に支持固定されて光学装置７と一体化し、ロアーケース２１の底面２１１に直接固定される。
これに対して第２実施形態では、ロアーケース２１の底面２１１に取り付けられる補強部材２１４は、光学装置７０の下方側、および投射レンズ８０の光束入射側の下方側にも延出し、光学装置７０が補強部材２１４に固定されるとともに、投射レンズ８０が取付部材としてのフランジ８４を介して補強部材２１４に固定される。
【００３８】
[2-1.プロジェクタの構成]
図５は、第２実施形態に係るプロジェクタ１０の概略構成を示す平面図である。具体的に、図５は、図１と同様に、プロジェクタ１０の天面を構成する外装筐体の上部筐体を取り外して内部を見た平面図である。
図５に示すように、第２実施形態では、補強部材２１４の形状が前記第１実施形態の補強部材２１２の形状と異なるとともに、光学装置７０および投射レンズ８０のロアーケース２１への取付構造が前記第１実施形態と異なるのみであり、その他の構成については、前記第１実施形態と同様である。
【００３９】
図６は、光学装置７０の構成を示す図である。具体的に、図６（ａ）は、光学装置７０を光束射出側から見た図であり、図６（ｂ）は、光学装置７０を上方から見た平面図であり、図６（ｃ）は、光学装置７０を赤色光の入射側から見た図である。なお、図６では、図２と同様に、支持体７６がＲ色光側にのみ取り付けられた状態を示したおり、本来、支持体７６は、３つの色光側にそれぞれ取り付けられているものとする。
光学装置７０は、第１実施形態で説明した入射側偏光板７１、光変調装置７２、射出側偏光板７３、クロスダイクロイックプリズム７４、熱伝導板７５、支持体７６、および断熱ピン７８の他、第１実施形態で説明した台座７７と形状の異なる台座７７０を備える。
台座７７０は、第１実施形態で説明した上台座７７１と、光学装置７０全体を支持固定するプリズム固定板７７３とを備える。
プリズム固定板７７３は、第１実施形態で説明したプリズム固定板７７２と略同様の形状を有するが、投射レンズ８を支持固定する投射レンズ支持部７７２Ｂが省略された構成となっている。その他の構成は、第１実施形態で説明したプリズム固定板７７２と同様の構成となっている。すなわち、光学装置７０と投射レンズ８０とは、第１実施形態のように一体化されず、別体でロアーケース２１に固定される。
【００４０】
[2-2.補強部材の構成]
図７は、補強部材２１４を示す斜視図である。
補強部材２１４は、第１実施形態の補強部材２１２と同様に、アルミニウム等の平板を板金加工することにより形成され、光路形成面（ロアーケース２１の底面２１１に沿う面）に沿って延出し、図示しない固定用孔を介して複数の光学部品取付部２１１Ａが起立するロアーケース２１の底面２１１に図示しないねじ等により取り付けられ、ロアーケース２１の底面２１１を補強する。
この補強部材２１４は、図７に示すように、インテグレータ照明光学系４、色分離光学系５、リレー光学系６、フィールドレンズ７９、光学装置７０、および投射レンズ８０の光路に沿って平面視略Ｌ字状に延出し、投射レンズ８０の一部と平面的に干渉するように形成されている。
この補強部材２１４には、図７に示すように、ロアーケース２１の底面２１１に形成された複数の光学部品取付部２１１Ａのうち、フィールドレンズ７９が取り付けられる光学部品取付部２１１Ａ、および入射側レンズ６１が取り付けられる光学部品取付部２１１Ａを挿通可能とする複数の孔２１４Ａが形成されている。
また、この補強部材２１４において、Ｌ字状の一端側には、図７に示すように、光学装置７０の設置位置に、光学装置７０の凸部７７２Ａ１（図６）が挿通される位置決め孔２１４Ｂと、光学装置７０の固定用の孔２１４Ｃとが形成されている。
さらに、この補強部材２１４において、位置決め孔２１４Ｂおよび孔２１４Ｃの光路後段側には、図７に示すように、投射レンズ８０を取り付けるための孔２１４Ｄおよび投写レンズ８０を位置決めするための位置決め孔２１４Ｅが形成されている。
【００４１】
[2-3.光学装置および投射レンズの取付構造]
図８は、光学装置７０および投射レンズ８０のロアーケース２１への取付構造を示す図である。
投射レンズ８０は、第１実施形態で説明した投射レンズ８と同様に、複数のレンズが組み合わされた組レンズを有し、前記組レンズが鏡筒８１内に収納保持されている。そして、この鏡筒８１には、図８に示すように、光束入射側端部にフランジ８４が取り付けられている。
フランジ８４は、図８に示すように、側面視略Ｌ字状に形成され、Ｌ字状の一端が鏡筒８１の光束入射側端部と接続するとともに、Ｌ字状の他端が補強部材２１４の上面に当接する。このフランジ８４の他端には、投射レンズ８０を補強部材２１４に固定するための固定用孔８４Ａ（図５）と、投射レンズ８０を補強部材２１４に対して位置決めするための位置決め突起８４Ｂとが形成されている。そして、図８に示すように、フランジ８４の位置決め突起８４Ｂを補強部材２１４の位置決め孔２１４Ｅに嵌合させて投射レンズ８０を補強部材２１４に対する所定位置に位置決めし、フランジ８４の固定用孔８４Ａ（図６）を介してねじ８５を挿通し、補強部材２１４の孔２１４Ｄにねじ８５を螺合させることで、投射レンズ８０が補強部材２１４に固定される。
また、図８に示すように、光学装置７０の凸部７７２Ａ１（図６）を補強部材２１４の位置決め孔２１４Ｂ（図７）に挿通することで補強部材２１４に対して位置決めされ、光学装置７０の図示しない孔および補強部材２１４の固定用の孔２１４Ｃ（図７）に図示しないねじを螺合させることで、光学装置７０が補強部材２１４に固定される。
【００４２】
以上説明したように、補強部材２１４の形状を平面視略Ｌ字状に形成し、投射レンズ８０の一部と平面的に干渉するように延出形成することで、投射レンズ８０を補強部材２１４に直接固定できるので、プリズム固定板７７３は、第１実施形態で説明したプリズム固定板７７２における投射レンズ支持部７７２Ｂを省略可能な構造となり、これにより光学装置７０の軽量化を図れ、ひいてはプロジェクタ１の軽量化を図れる。
また、補強部材２１４を光学装置７０の下方、および投射レンズ８０の下方にも延出する形状とすることで、光源装置３にて射出された光束により、光学部品４〜６，７９に生じた熱のみならず、光学装置７０に生じる熱をプリズム固定板７７３を介して補強部材２１４に放熱可能な構造となり、プロジェクタ１全体の冷却効率の向上を図れる。
さらに、第１実施形態で説明した投射レンズ８のフランジ８２を、上述したフランジ８４のように平面視略Ｌ字状に変形するだけで、投射レンズ８０を補強部材２１４に固定でき、投射レンズ８０を補強部材２１４に固定するための部材を省略できる。したがって、プロジェクタ１の軽量化を図れるとともに、プロジェクタ１０の低コスト化を図れる。
【００４３】
[３．実施形態の変形]
以上、本発明について好適な実施形態を挙げて説明したが、本発明は、これらの実施形態に限定されるものではなく、本発明の要旨を逸脱しない範囲において種々の改良並びに設計の変更が可能である。
前記各実施形態では、外装ケース２は、ロアーケース２１とアッパーケースの２体で構成され、複数の光学部品取付部２１１Ａは、ロアーケース２１の底面２１１から起立していたが、これに限らず、アッパーケースの天面から起立する構成としてもよい。この際、補強部材２１２，２１４をアッパーケースの天面に取り付ける構成とすれば、アッパーケースの剛性の強化を図れる。
また、外装ケース２は、ロアーケース２１およびアッパーケースの２体構成に限らず、側面を構成する側部筐体を含む構成を採用してもよい。さらに、ロアーケース２１の形状、およびアッパーケースの形状は、前記各実施形態で説明した形状に限らない。例えば、ロアーケース２１を底面２１１のみを構成する蓋状の形状とし、アッパーケースを天面および側面を構成する容器状の形状としてもよい。
【００４４】
前記各実施形態では、複数の光学部品取付部２１１Ａには、溝状の折損部２１１Ａ２がそれぞれ形成される構成としたが、これに限らず、複数の光学部品取付部２１１Ａを折損可能とすれば折損部２１１Ａ２の形状は他の形状でも構わない。また、複数の光学部品取付部２１１Ａを折損可能に形成すれば、折損部２１１Ａ２を形成しない構成としてもよい。
前記各実施形態において、補強部材２１２，２１４の材質は、アルミニウムに限らず、熱伝導性を有する部材であって、ロアーケース２１の剛性を強化可能な強度を有する部材であればよい。例えば、この材質としては、例えば、この材質としては、Ａｌ，Ｍｇ，Ｔｉやこれらの合金、インバーおよび４２Ｎｉ−Ｆｅ等の鉄−ニッケル合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）等が例示できる。また、遮光部材２１３の材質も同様に、アルミニウムに限らず、遮光性を有する部材であればよく、例えば、補強部材２１２，２１４に採用可能な上述した材質を適用できる。
【００４５】
前記各実施形態において、遮光部材２１３の上方側の開口部分を塞ぐように、さらに遮光部材を設ける構成を採用してもよい。例えば、ロアーケース２１の底面に取り付けられる遮光部材２１３に対応して、アッパーケースの裏面側に遮光部材を取り付けておき、ロアーケース２１とアッパーケースとを組み合わせた状態で遮光部材２１３の上方側の開口部分を前記遮光部材が塞ぐ構成としてもよい。また、前記遮光部材を遮光部材２１３の上方側の開口部分に直接取り付ける構成としてもよい。このような構成では、遮光部材２１３により光路形成面に沿う方向に拡がる光を遮光できるとともに、前記遮光部材により光路形成面と直交する方向に向かう光も遮光できる。
また、遮光部材２１３は、ロアーケース２１の底面２１１に取り付けられる構成に限らず、アッパーケースに取り付ける構成としてもよい。
【００４６】
前記各実施形態において、補強部材２１２，２１４の形状は、前記各実施形態で説明した形状に限らない。例えば、前記第１実施形態では、補強部材２１２は、複数の光学部品取付部２１１Ａにて囲まれる領域（複数の光学部品取付部２１１Ａの内側）に対応する形状を有していたが、前記第２実施形態の補強部材２１４の孔２１４Ａと同様の孔を形成し、光学部品取付部２１１Ａの外側にも延出する形状としてもよい。また、前記第２実施形態では、補強部材２１４は、投射レンズ８０の一部と平面的に干渉する形状とすればよく、光路形成面に沿ってより大きく延出する形状としてもよい。
【００４７】
前記各実施形態では、３つの光変調装置７２を用いたプロジェクタ１，１０を説明したが、これに限らない。例えば、１つの光変調装置のみを用いたプロジェクタ、２つの光変調装置を用いたプロジェクタ、あるいは、４つ以上の光変調装置を用いたプロジェクタにも適用可能である。
前記各実施形態では、光源装置３から投射レンズ８，８０までの光路は、平面視略Ｌ字状の形状を有していたが、その他の形状を採用してもよく、例えば、平面視略Ｕ字状の形状としてもよい。
【００４８】
前記各実施形態では、光変調装置として液晶パネルを用いたが、マイクロミラーを用いたデバイスなど、液晶以外の光変調素子を用いてもよい。
前記各実施形態では、光入射面と光射出面とが異なる透過型の光変調装置を用いたが、光入射面と光射出面とが同一となる反射型の光変調装置を用いてもよい。
前記各実施形態では、スクリーンを観察する方向から投写を行うフロントタイプのプロジェクタの例のみを説明したが、本発明では、スクリーンを観察する方向とは反対側から投写を行うリアタイプのプロジェクタにも適用可能である。
【００４９】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００５０】
本発明のプロジェクタは、低コスト化を図れかつ、リサイクル率の向上を図れるため、プレゼンテーションやホームシアター等の分野において用いられるプロジェクタとして有用である。
【図面の簡単な説明】
【００５１】
【図１】第１実施形態に係るプロジェクタの概略構成を示す平面図。
【図２】前記実施形態における光学装置の構成を示す図。
【図３】前記実施形態におけるロアーケースの概略構成を示す分解斜視図。
【図４】前記実施形態における光学部品取付部の折損部を示す図。
【図５】第２実施形態に係るプロジェクタの概略構成を示す平面図。
【図６】前記実施形態における光学装置の構成を示す図。
【図７】前記実施形態における補強部材を示す斜視図。
【図８】前記実施形態における光学装置および投射レンズのロアーケースへの取付構造を示す図。
【符号の説明】
【００５２】
１，１０・・・プロジェクタ、２・・・外装ケース（外装筐体）、３・・・光源装置、８，８０・・・投射レンズ（投射光学装置）、２１・・・ロアーケース（上部筐体）、７２・・・光変調装置、８４・・・フランジ（取付部材）、２１１・・・底面、２１１Ａ・・・光学部品取付部、２１２，２１４・・・補強部材、２１３・・・遮光部材。
【図１】
2005128210.tif 000003
【図２】
2005128210.tif 000004
【図３】
2005128210.tif 000005
【図４】
2005128210.tif 000006
【図５】
2005128210.tif 000007
【図６】
2005128210.tif 000008
【図７】
2005128210.tif 000009
【図８】
2005128210.tif 000010